(57)【特許請求の範囲】
【請求項１】
１回の燃料噴射期間内にパイロット噴射とメイン噴射とを実施する燃料噴射装置の前記パイロット噴射と前記メイン噴射との間のインターバルを計測する計測方法であって、
前記パイロット噴射の終了時期から前記メイン噴射の開始時期までのインターバル期間に燃料を噴射させるインターバル噴射実行ステップと、
前記インターバル期間内で噴射された噴射量を計測するインターバル噴射量計測ステップと、
このインターバル噴射量計測ステップで計測された噴射量から前記インターバルを換算する換算ステップと、
を有することを特徴とする燃料噴射装置のインターバル計測方法。
【請求項２】
１回の燃料噴射期間内にパイロット噴射とメイン噴射とを実施する燃料噴射装置の前記パイロット噴射と前記メイン噴射との間のインターバルを計測する計測方法であって、
前記パイロット噴射させるパイロット噴射実行ステップと、
前記パイロット噴射で噴射された噴射量を計測するパイロット噴射量計測ステップと、
前記パイロット噴射の開始時期から前記メイン噴射の開始時期までの期間に燃料を噴射させるパイロット＋インターバル噴射実行ステップと、
前記パイロット噴射の開始時期から前記メイン噴射の開始時期までに噴射された噴射量を計測するパイロット＋インターバル噴射量計測ステップと、
このパイロット＋インターバル噴射量計測ステップで計測された噴射量、および前記パイロット噴射量計測ステップで計測された噴射量の相関から前記インターバルを換算する換算ステップと、
を有することを特徴とする燃料噴射装置のインターバル計測方法。
【請求項３】
１回の燃料噴射期間内にパイロット噴射とメイン噴射とを実施する燃料噴射装置の前記パイロット噴射と前記メイン噴射との間のインターバルを計測する計測方法であって、
前記パイロット噴射させるパイロット噴射実行ステップと、
前記パイロット噴射で噴射された噴射量を計測するパイロット噴射量計測ステップと、
前記メイン噴射させるメイン噴射実行ステップと、
前記メイン噴射で噴射された噴射量を計測するメイン噴射量計測ステップと、
前記パイロット噴射の開始時期から前記メイン噴射の終了時期までの期間に燃料を噴射させるパイロット＋インターバル＋メイン噴射実行ステップと、
前記パイロット噴射の開始時期から前記メイン噴射の終了時期までに噴射された噴射量を計測するパイロット＋インターバル＋メイン噴射量計測ステップと、
このパイロット＋インターバル＋メイン噴射量計測ステップで計測された噴射量、前記パイロット噴射量計測ステップで計測された噴射量、および前記メイン噴射量計測ステップで計測された噴射量の相関から前記インターバルを換算する換算ステップと、
を有することを特徴とする燃料噴射装置のインターバル計測方法。
【請求項４】
１回の燃料噴射期間内にパイロット噴射とメイン噴射とを実施する燃料噴射装置の前記パイロット噴射と前記メイン噴射との間のインターバルを計測する計測方法であって、
前記メイン噴射させるメイン噴射実行ステップと、
前記メイン噴射で噴射された噴射量を計測するメイン噴射量計測ステップと、
前記パイロット噴射の終了時期から前記メイン噴射の終了時期までの期間に燃料を噴射させるインターバル＋メイン噴射実行ステップと、
前記パイロット噴射の終了時期から前記メイン噴射の終了時期までに噴射された噴射量を計測するインターバル＋メイン噴射量計測ステップと、
このインターバル＋メイン噴射量計測ステップで計測された噴射量、および前記メイン噴射量計測ステップで計測された噴射量の相関から前記インターバルを換算する換算ステップと、
を有することを特徴とする燃料噴射装置のインターバル計測方法。
【発明の詳細な説明】
【０００１】
【発明の属する技術分野】
本発明は、１回の燃料噴射期間内に実施されるパイロット噴射とメイン噴射との間のインターバル（無噴射期間）の計測方法に関する。
【０００２】
【従来の技術】
パイロット噴射を実施する燃料噴射装置の噴射量およびインターバルの調整方法を図９を参照して説明する。なお、この例では、スピル電磁弁（ＳＰＶ）を搭載した分配型燃料噴射ポンプを例に示す。
図９▲１▼に示すように、ＳＰＶ駆動信号をONして常開型のスピル電磁弁を閉じた状態で、カムリフトが開始するとパイロット噴射が開始し、ＳＰＶ駆動信号をOFF するとスピル電磁弁が開いてパイロット噴射が終了する。
この時、パイロット噴射量をメスシリンダやメンゲン等の噴射量計測部１５（符号は図１０参照）で計測し、そのパイロット噴射量が規定量となるように調整する。
【０００３】
パイロット噴射の調整が終了すると、次に、図９▲２▼に示すように、パイロット噴射とメイン噴射を実施し、パイロット噴射とメイン噴射のインターバルを圧力分配法を用いて計測する。
圧力分配法によるインターバルの計測方法を図１０の概略図を参照して説明する。
燃料が満たされた圧力容器１０の内部に、測定対象の燃料噴射装置が接続された燃料噴射弁１１からパイロット噴射およびメイン噴射を行い、圧力容器１０内の圧力変化を圧力センサ１２で計測する。圧力センサ１２による圧力波形は、実線αに示すように、パイロット噴射時に上昇し、インターバル中に平坦になり、メイン噴射時に再び上昇する。この圧力波形を計測処理部１３で微分処理すると、実線βに示すような圧力微分波形（パイロット噴射、インターバル、メイン噴射に応じた波形）になる。この圧力微分波形のパイロット噴射終了からメイン噴射開始までの期間によってインターバル（θｐ）を計測する。
このような圧力分配法によって計測されたインターバル（θｐ）が規定間隔となるように調整する。
【０００４】
なお、図１０に示す電磁弁１４および噴射量計測部１５は、上述したパイロット噴射量及び後述するメイン噴射量を計測するための手段であり、パイロット噴射あるいはメイン噴射時に電磁弁１４を開き、圧力容器１０から溢れ出した燃料の量を噴射量計測部１５（メスシリンダやメンゲン等）で計測する。
【０００５】
インターバルの調整が終了すると、次に、図９▲３▼に示すように、カムリフトの上昇中のメイン噴射時期にＳＰＶ駆動信号をON-OFFしてメイン噴射を実行する。そして、このメイン噴射量をメスシリンダやメンゲン等の噴射量計測部１５で計測し、そのメイン噴射量が規定量となるように調整する。
【０００６】
【発明が解決しようとする課題】
しかし、圧力分配法を用いた計測器は高価であり、インターバルを計測するための設備コストが高くなってしまう。このため、出荷時の調整時にインターバル計測に要するコストがアップする不具合が生じるとともに、高価な設備を持つところでしかインターバル計測ができず、メンテナンスの障害要因にもなっていた。
【０００７】
【発明の目的】
この発明は、上記の事情に鑑みてなされたものであり、その目的は、安価な計測手段によってパイロット噴射とメイン噴射との間のインターバルを計測できる燃料噴射装置のインターバル計測方法の提供にある。
【０００８】
【課題を解決するための手段】
（請求項１の手段）
請求項１の発明は、パイロット噴射の終了時期からメイン噴射の開始時期までのインターバル期間に燃料を噴射させるインターバル噴射実行ステップと、インターバル期間内で噴射された噴射量を計測するインターバル噴射量計測ステップと、このインターバル噴射量計測ステップで計測された噴射量からインターバルを換算する換算ステップとを有する。
この請求項１の発明では、インターバルの開始から終了まで燃料を噴射させている。インターバル中に噴射させた噴射量（インターバル噴射量）は、インターバルに対して相関関係がある。このため、インターバル中に噴射された噴射量からインターバルを求めることができる。
つまり、この請求項１の発明では、従来のような圧力分配法を用いた高価な計器を用いなくても、噴射された量を計測する安価な手段でインターバルを求めることができる。
この結果、燃料噴射装置の出荷時の調整時にインターバル計測に要するコストを抑えることができる。また、高価な設備を持たない所でもインターバル計測が可能になり、点検等のメンテナンス性が向上する。
【０００９】
（請求項２の手段）
請求項２の発明は、パイロット噴射させるパイロット噴射実行ステップと、パイロット噴射で噴射された噴射量を計測するパイロット噴射量計測ステップと、パイロット噴射の開始時期からメイン噴射の開始時期までの期間（パイロット噴射＋インターバルの期間）に燃料を噴射させるパイロット＋インターバル噴射実行ステップと、パイロット噴射の開始時期からメイン噴射の開始時期までに噴射された噴射量を計測するパイロット＋インターバル噴射量計測ステップと、このパイロット＋インターバル噴射量計測ステップで計測された噴射量、およびパイロット噴射量計測ステップで計測された噴射量の相関からインターバルを換算する換算ステップとを有する。
この請求項２の発明では、パイロット噴射の開始からインターバルの終了まで燃料を噴射させている。パイロット噴射量が分かっていれば、このパイロット噴射の開始からインターバルの終了までの噴射量は、インターバルに対して相関関係がある。このため、パイロット噴射量と、パイロット噴射の開始からインターバルの終了までの噴射量との相関からインターバルを求めることができる。
つまり、この請求項２の発明では、従来のような圧力分配法を用いた高価な計器を用いなくても、噴射された量を計測する安価な手段でインターバルを求めることができる。
この結果、燃料噴射装置の出荷時の調整時にインターバル計測に要するコストを抑えることができる。また、高価な設備を持たない所でもインターバル計測が可能になり、点検等のメンテナンス性が向上する。
【００１０】
（請求項３の手段）
請求項３の発明は、パイロット噴射させるパイロット噴射実行ステップと、パイロット噴射で噴射された噴射量を計測するパイロット噴射量計測ステップと、メイン噴射させるメイン噴射実行ステップと、メイン噴射で噴射された噴射量を計測するメイン噴射量計測ステップと、パイロット噴射の開始時期からメイン噴射の終了時期までの期間（パイロット噴射＋インターバル＋メイン噴射の期間）に燃料を噴射させるパイロット＋インターバル＋メイン噴射実行ステップと、パイロット噴射の開始時期からメイン噴射の終了時期までに噴射された噴射量を計測するパイロット＋インターバル＋メイン噴射量計測ステップと、このパイロット＋インターバル＋メイン噴射量計測ステップで計測された噴射量、パイロット噴射量計測ステップで計測された噴射量、およびメイン噴射量計測ステップで計測された噴射量の相関からインターバルを換算する換算ステップとを有する。
この請求項３の発明では、パイロット噴射の開始からメイン噴射の終了まで燃料を噴射させている。パイロット噴射量およびメイン噴射量が分かっていれば、このパイロット噴射の開始からメイン噴射の終了までの噴射量は、インターバルに対して相関関係がある。このため、パイロット噴射量、メイン噴射量、およびパイロット噴射の開始からメイン噴射の終了までの噴射量の相関からインターバルを求めることができる。
つまり、この請求項３の発明では、従来のような圧力分配法を用いた高価な計器を用いなくても、噴射された量を計測する安価な手段でインターバルを求めることができる。
この結果、燃料噴射装置の出荷時の調整時にインターバル計測に要するコストを抑えることができる。また、高価な設備を持たない所でもインターバル計測が可能になり、点検等のメンテナンス性が向上する。
【００１１】
（請求項４の手段）
請求項４の発明は、メイン噴射させるメイン噴射実行ステップと、メイン噴射で噴射された噴射量を計測するメイン噴射量計測ステップと、パイロット噴射の終了時期（インターバルの開始）からメイン噴射の終了時期までの期間（インターバル＋メイン噴射の期間）に燃料を噴射させるインターバル＋メイン噴射実行ステップと、パイロット噴射の終了時期からメイン噴射の終了時期までに噴射された噴射量を計測するインターバル＋メイン噴射量計測ステップと、このインターバル＋メイン噴射量計測ステップで計測された噴射量、およびメイン噴射量計測ステップで計測された噴射量の相関からインターバルを換算する換算ステップとを有する。
この請求項４の発明では、パイロット噴射の終了（インターバルの開始）からメイン噴射の終了まで燃料を噴射させている。メイン噴射量が分かっていれば、このパイロット噴射の終了からメイン噴射の終了までの噴射量は、インターバルに対して相関関係がある。このため、メイン噴射量と、パイロット噴射の終了からメイン噴射の終了までの噴射量との相関からインターバルを求めることができる。
つまり、この請求項４の発明では、従来のような圧力分配法を用いた高価な計器を用いなくても、噴射された量を計測する安価な手段でインターバルを求めることができる。
この結果、燃料噴射装置の出荷時の調整時にインターバル計測に要するコストを抑えることができる。また、高価な設備を持たない所でもインターバル計測が可能になり、点検等のメンテナンス性が向上する。
【００１２】
【発明の実施の形態】
本発明の実施の形態を、複数の実施例と変形例を用いて説明する。
〔第１実施例〕
この第１実施例では、図１〜図３を参照して、パイロット噴射の終了時期（インターバルの開始時期）からメイン噴射の開始時期（インターバルの終了時期）までのインターバル期間に燃料を噴射させ、その噴射量（Ｑｐｓ）からインターバルを換算する例（プレストローク方式＝Ｑｐｓ方式と称す）を示す。
図１は第１実施例で採用するインターバル計測方法を説明する図であり、図２はパイロット噴射を実施する燃料噴射装置において、パイロット噴射量、インターバルおよびメイン噴射量の調整方法を説明するためのチャートであり、図３は本計測方法に用いる噴射量計測手段の概略図である。
なお、以下の各実施例は、常開型のスピル電磁弁（ＳＰＶ）を搭載した周知の分配型燃料噴射ポンプ（図示しない）を用いた燃料噴射装置におけるパイロット噴射量、インターバル、メイン噴射量の調整方法を説明する。
【００１３】
先ず、パイロット噴射量を調整する。
パイロット噴射量の調整は、図２▲１▼に示すように、ＳＰＶ駆動信号をONしてスピル電磁弁を閉じた状態で、カムリフトが開始するとパイロット噴射が開始する。そして、パイロット噴射の終了時期（調整用の基準時期）にＳＰＶ駆動信号をOFF する。これによって、スピル電磁弁が開いてパイロット噴射が終了する（パイロット噴射実行ステップに相当する）。
この時、図３に示すように、測定対象の燃料噴射ポンプに接続された燃料噴射弁１からパイロット噴射された噴射量を、メスシリンダやメンゲン等の噴射量計測部２によって計測する（パイロット噴射量計測ステップに相当する）。そして、そのパイロット噴射量が規定量となるように調整する。具体的には、調整用の数値を求め、その数値を基にパイロット噴射におけるスピル電磁弁の開弁時期を調整する。
【００１４】
次に、パイロット噴射終了〜メイン噴射開始までのインターバル（無噴射期間）を調整する。
パイロット噴射の調整終了後、図２▲２▼に示すように、パイロット噴射の終了時（調整用の基準時期）にＳＰＶ駆動信号をONしてスピル電磁弁を閉じ、パイロット噴射の終了時から燃料の噴射を開始させる。そして、メイン噴射の開始時期（調整用の基準時期）にＳＰＶ駆動信号をOFF する。これによって、スピル電磁弁が開いてインターバル期間の噴射（以下、インターバル噴射）が終了する（インターバル噴射実行ステップに相当する）。
この時、インターバル噴射量Ｑｐｓ（図１下段のハッチング部Ａ参照）をメスシリンダやメンゲン等の噴射量計測部２（図３参照）で計測する（インターバル噴射量計測ステップに相当する）。
続いて、インターバル噴射量Ｑｐｓからインターバルを換算する。具体的には、図１上段のグラフに示すように、インターバル噴射量Ｑｐｓとインターバルとの相関関係からインターバルを換算する（換算ステップに相当する）。
そして、求められたインターバルが規定量となるように調整する。具体的には、調整用の数値を求め、その数値を基にインターバル（メイン噴射の開始時期）を調整する。
【００１５】
最後にメイン噴射量を調整する。
メイン噴射量の調整は、図２▲３▼に示すように、メイン噴射の開始時期（調整用の基準時期）にＳＰＶ駆動信号をON信号してスピル電磁弁を閉じ、メイン噴射を開始させる。そして、メイン噴射の終了時期（調整用の基準時期）にＳＰＶ駆動信号をOFF する。これによって、スピル電磁弁が開いてメイン噴射が終了する（メイン噴射実行ステップに相当する）。
この時、メイン噴射された噴射量をメスシリンダやメンゲン等の噴射量計測部２（図３参照）で計測する（メイン噴射量計測ステップに相当する）。そして、そのメイン噴射量が規定量となるように調整する。具体的には、調整用の数値を求め、その数値を基にメイン噴射におけるスピル電磁弁の開弁時期を調整する。
【００１６】
（第１実施例の効果）
上述したように、パイロット噴射量およびメイン噴射量はもちろん、インターバルまでが安価な噴射量計測部２（メスシリンダ等）にて計測ができる。
つまり、従来のような圧力分配法を用いた高価な計器を用いなくても、インターバルを安価な手段（メスシリンダ等の噴射量計測部２）で計測することができる。
この結果、燃料噴射ポンプの出荷時の調整時にインターバル計測に要するコストを抑えることができる。また、高価な設備を持たない所でもパイロット噴射量およびメイン噴射量と同様にインターバル計測が可能になり、点検等のメンテナンス性が向上する。
【００１７】
〔第２実施例〕
この第２実施例では、図４、図５を参照して、パイロット噴射の開始時期からメイン噴射の開始時期（インターバルの終了時期）までのパイロット噴射＋インターバル期間に燃料を噴射させ、その噴射量（Ｑｐ’）からインターバルを換算する例（Ｑｐ’方式と称す）を示す。
なお、図４はパイロット噴射量、インターバル、メイン噴射量の調整方法を説明するためのチャートであり、図５はインターバル計測方法の説明図である。
【００１８】
先ず、パイロット噴射量を調整する。
このパイロット噴射量の調整は図４▲１▼に示すように第１実施例の図２▲１▼と同様であり、調整方法の説明は割愛する。
【００１９】
次に、パイロット噴射終了〜メイン噴射開始までのインターバル（無噴射期間）を調整する。
パイロット噴射の調整終了後、図４▲２▼に示すように、ＳＰＶ駆動信号をONしてスピル電磁弁を閉じた状態で、カムリフトが開始するとパイロット噴射が開始する。即ち、パイロット噴射の開始から燃料噴射を開始させる。そして、メイン噴射の開始時期（調整用の基準時期）にＳＰＶ駆動信号をOFF する。これによって、スピル電磁弁が開いてパイロット噴射＋インターバル期間の噴射（以下、パイロット＋インターバル期間の噴射）が終了する（パイロット＋インターバル噴射実行ステップに相当する）。
この時、パイロット＋インターバル期間の噴射量Ｑｐ’（図５下段のハッチング部Ａ参照）をメスシリンダやメンゲン等の噴射量計測部２（図３参照）で計測する（パイロット＋インターバル噴射量計測ステップに相当する）。
続いて、パイロット＋インターバル期間の噴射量Ｑｐ’からインターバルを換算する。具体的には、図５上段のグラフに示すように、パイロット＋インターバル期間の噴射量Ｑｐ’とインターバルとの相関関係からインターバルを換算する（換算ステップに相当する）。
そして、求められたインターバルが規定量となるように調整する。具体的には、調整用の数値を求め、その数値を基にインターバル（メイン噴射の開始時期）を調整する。
【００２０】
最後にメイン噴射量を調整する。
このメイン噴射量の調整は図４▲３▼に示すように第１実施例の図２▲３▼と同様であり、調整方法の説明は割愛する。
【００２１】
（第２実施例の効果）
この第２実施例でも、第１実施例と同様、パイロット噴射量、インターバル、およびメイン噴射量が安価な噴射量計測部２（メスシリンダ等）にて計測ができ、第１実施例と同様の効果を得ることができる。
【００２２】
〔第３実施例〕
この第３実施例では、図６、図７を参照して、パイロット噴射の開始時期からメイン噴射の終了時期までのパイロット噴射＋インターバル＋メイン噴射の期間に燃料を噴射させ、その噴射量（Ｑｍ’）からインターバルを換算する例（Ｑｍ’方式と称す）を示す。
なお、図６はパイロット噴射量、インターバル、メイン噴射量の調整方法を説明するためのチャートであり、図７はインターバル計測方法の説明図である。
【００２３】
先ず、パイロット噴射量を調整する。
このパイロット噴射量の調整は図６▲１▼に示すように第１実施例の図２▲１▼と同様であり、調整方法の説明は割愛する。
【００２４】
次に、メイン噴射終了時期を調整する。
パイロット噴射の調整終了後、図６▲２▼に示すように、ＳＰＶ駆動信号をONしてスピル電磁弁を閉じた状態で、カムリフトが開始するとパイロット噴射が開始する。即ち、パイロット噴射の開始から燃料噴射を開始させる。そして、メイン噴射の終了時期（調整用の基準時期）にＳＰＶ駆動信号をOFF する。これによって、スピル電磁弁が開いてパイロット噴射＋インターバル＋メイン噴射の期間に亘る噴射（以下、パイロット＋インターバル＋メイン期間の噴射）が終了する（パイロット＋インターバル＋メイン噴射実行ステップに相当する）。
この時、パイロット＋インターバル＋メイン期間の噴射量Ｑｍ’（図７下段のハッチング部Ａ参照）をメスシリンダやメンゲン等の噴射量計測部２（図３参照）で計測する（パイロット＋インターバル＋メイン噴射量計測ステップに相当する）。
続いて、パイロット＋インターバル＋メイン期間の噴射量Ｑｍ’からインターバルを換算する。具体的には、図７上段のグラフに示すように、パイロット＋インターバル＋メイン期間の噴射量Ｑｍ’とインターバルとの相関関係からインターバルを換算する（換算ステップに相当する）。
そして、求められたインターバルが規定量となるように調整する。具体的には、調整用の数値を求め、その数値を基にインターバル（メイン噴射の開始時期）を調整する。
【００２５】
最後に、パイロット噴射終了〜メイン噴射開始までのインターバル（無噴射期間）、及びメイン噴射量を調整する。
この調整は図６▲３▼に示すようにメイン噴射開始時期を調整してメイン噴射量を調整する。既に、図６▲２▼にて決定したメイン噴射終了時期により、パイロットインターバルは決定される。
【００２６】
（第３実施例の効果）
この第３実施例でも、第１実施例と同様、パイロット噴射量、インターバル、およびメイン噴射量が安価な噴射量計測部２（メスシリンダ等）にて計測ができ、第１実施例と同様の効果を得ることができる。
【００２７】
〔第４実施例〕
この第４実施例では、図８を参照して、パイロット噴射の終了時期（インターバルの開始時期）からメイン噴射の終了時期までのインターバル＋メイン噴射の期間に燃料を噴射させ、その噴射量（Ｑｍ”）からインターバルを換算する例（Ｑｍ”方式と称す）を示す。
なお、この第４実施例では、インターバル計測の前に少なくともパイロット噴射量の調整を済ませておくものとする。
【００２８】
パイロット噴射終了〜メイン噴射開始までのインターバル（無噴射期間）を計測する方法を図８を参照して説明する。
パイロット噴射の終了時期（調整用の基準時期）にＳＰＶ駆動信号をON信号してスピル電磁弁を閉じ、パイロット噴射の終了時期（インターバルの開始時期）から燃料噴射を開始させる。そして、メイン噴射の終了時期（調整用の基準時期）にＳＰＶ駆動信号をOFF する。これによって、スピル電磁弁が開いてインターバル＋メイン噴射の期間に亘る噴射（以下、インターバル＋メイン期間の噴射）が終了する（インターバル＋メイン噴射実行ステップに相当する）。
この時、インターバル＋メイン期間の噴射量Ｑｍ”（図８下段のハッチング部Ａ参照）をメスシリンダやメンゲン等の噴射量計測部２（図３参照）で計測する（インターバル＋メイン噴射量計測ステップに相当する）。
続いて、インターバル＋メイン期間の噴射量Ｑｍ”からインターバルを換算する。具体的には、図８上段のグラフに示すように、インターバル＋メイン期間の噴射量Ｑｍ”とインターバルとの相関関係からインターバルを換算する（換算ステップに相当する）。
【００２９】
最後に、パイロット噴射終了〜メイン噴射開始までのインターバル（無噴射期間）、及びメイン噴射量を調整する。
この調整は図６▲３▼に示すようにメイン噴射開始時期を調整してメイン噴射量を調整する。既に、図６▲２▼にて決定したメイン噴射終了時期により、パイロットインターバルは決定される。
【００３０】
（第４実施例の効果）
この第４実施例でも、第１実施例と同様、パイロット噴射量、インターバル、およびメイン噴射量が安価な噴射量計測部２（メスシリンダ等）にて計測ができ、第１実施例と同様の効果を得ることができる。
【００３１】
〔変形例〕
上記の各実施例では、分配型燃料噴射ポンプのパイロット噴射量、インターバル、およびメイン噴射量の計測を例に示したが、コモンレールを用いた燃料噴射装置など他の燃料噴射装置におけるパイロット噴射、インターバル、およびメイン噴射量の計測に適用しても良く、また多段噴射のインターバルの測定に用いても良い。
【図面の簡単な説明】
【図１】インターバル噴射量とインターバルの相関関係を説明するための図である（第１実施例）。
【図２】パイロット噴射、インターバル、メイン噴射の調整を説明するためのタイムチャートである（第１実施例）。
【図３】燃料噴射ポンプから噴射される噴射量を計測する噴射量計測手段の概略図である（第１実施例）。
【図４】パイロット噴射、インターバル、メイン噴射の調整を説明するためのタイムチャートである（第２実施例）。
【図５】パイロット＋インターバル期間の噴射量とインターバルの相関関係を説明するための図である（第２実施例）。
【図６】パイロット噴射、インターバル、メイン噴射の調整を説明するためのタイムチャートである（第３実施例）。
【図７】パイロット＋インターバル＋メイン期間の噴射量とインターバルの相関関係を説明するための図である（第３実施例）。
【図８】インターバル＋メイン期間の噴射量とインターバルの相関関係を説明するための図である（第４実施例）。
【図９】パイロット噴射、インターバル、メイン噴射の調整を説明するためのタイムチャートである（従来例）。
【図１０】燃料噴射ポンプから噴射される噴射量を計測する噴射量計測手段、および圧力分配法を用いたインターバルの計測手段の概略図である（従来例）。
【符号の説明】
１      燃料噴射弁
２      噴射量計測部
Ｑｐｓ  インターバル噴射量
Ｑｐ’  パイロット＋インターバル期間の噴射量
Ｑｍ’  パイロット＋インターバル＋メイン期間の噴射量
Ｑｍ”  インターバル＋メイン期間の噴射量
【図１】
0003815334.tif 000002
【図２】
0003815334.tif 000003
【図３】
0003815334.tif 000004
【図４】
0003815334.tif 000005
【図５】
0003815334.tif 000006
【図６】
0003815334.tif 000007
【図７】
0003815334.tif 000008
【図８】
0003815334.tif 000009
【図９】
0003815334.tif 000010
【図１０】
0003815334.tif 000011